【手続補正書】
【提出日】平成17年8月29日(2005.8.29)
【手続補正１】
【補正対象書類名】明細書
【補正対象項目名】全文
【補正方法】変更
【補正の内容】
【発明の詳細な説明】
【発明の名称】消しゴム繰り出し容器
【技術分野】
【０００１】
この発明は、容器の全長よりも長い消しゴムを外部操作部材によって適宜繰り出すことができる消しゴム繰り出し容器に関する。
【背景技術】
【０００２】
従来、この種の消しゴム繰り出し容器は、例えば実公平５−１４２６公報に記載されたように、棒状の消しゴムが筒体の容器に収納され、ノック操作によって繰り出され使用されていた。しかしながら、この棒状の消しゴムは、容器の全長より短いものが収納されているので、容器をコンパクトな形にするためには、さらに消しゴムを短くしなければならなかった。その結果、セットされた消しゴムが簡単に消耗されてしまうので、新しい消しゴムと度々交換しなければならなくなり、その取扱が面倒であった。
【特許文献１】実公平５−１４２６公報
【特許文献２】実公平７−５６２３３公報
【発明の開示】
【発明が解決しようとする課題】
【０００３】
この発明は、その性質上摩耗が著しい消耗品である消しゴムの長さを容器の全長よりも十分に長くすることができて、消しゴムの交換期間を長くすることを目的とする。
【０００４】
さらに、この発明は、構造上容器の形状に自由度を持たせることができて、そのデザインにユニーク性を持たせることができることを目的とする。
【０００５】
さらにまた、この発明は、繰り出された消しゴムが、使用中紙面等に対する押圧力により
簡単に容器内に退没しないようにして、操作性を良好とすることを目的とする。
【０００６】
またさらに、この発明は、収納される消しゴムの断面形状が、従来の棒状消しゴムの保持チャック形式と比較して自由度があり、保持用ローラ、チャック等の断面形状を合わせることにより、断面が異形でも使用することができることを目的とする。
【課題を解決するための手段】
【０００７】
この発明によれば、消しゴム繰り出し容器の全長よりも長い消しゴムを収納可能な収納部が設けられた容器本体と、この容操本体に設けられ外部から操作される外部操作部材と、この外部操作部材の操作によって消しゴムを容器の先端開口から繰り出す消しゴム繰り出し手段とからなる消しゴム繰り出し容器が得られる。
【発明の効果】
【０００８】
この発明は、比較的長い消しゴムを容器に収納できるため、セットした消しゴムを長期
間交換しないでそのまま使用できる効果がある。
【０００９】
さらに、この発明は、構造上長い消しゴムを種々の状態で収納できるので、容器の形状
に自由度を持たせることができ、そのデザインにユニーク性を持たせることができる効果がある。
【００１０】
またさらに、この発明は、繰り出された消しゴムが使用中紙面等に対する押圧力によって簡単に容器内に戻らないようにし、操作性を良好とせしめる効果がある。
【００１１】
さらに、この発明は、収納される消しゴムの断面形状が、従来の棒状消しゴムの保持チャック形式と比較して、形状に自由度があり、繰り出しローラ、チャック等の形状を消しゴムの断面形状に合わせることにより、その断面が異形でも使用することができる効果がある。
【発明を実施するための最良の形態】
【００１２】
この発明によれば、容器本体とこの容器本体をカバーする蓋体とから成り、容器本体内にこの容器本体の全長よりも長い消しゴムを収納し、容器本体の前端にこの消しゴムが繰り出される開口を形成し、この開口の近傍に消しゴム繰出のための案内手段を設け、このガイド手段内に消しゴムを送出する繰り出し駆動手段を容器本体内に設け、この駆動手段を容器外部から操作して駆動せしめる操作手段を容器本体に操作自在に設け、かつこの操作手段をロックするストッパを有する逆転防止手段を備えた消しゴム繰り出し容器が提供される。
【実施例１】
【００１３】
図１〜図１９は、この発明の実施例１による消しゴム繰り出し容器を示す図である。図１および図２において、消しゴム繰り出し容器は、基板５とこの基板５を包囲して起立する外周壁２とからなる容器本体１と、この容器本体１をカバーして取り付けられる蓋体３とから構成されている。そして、容器本体１は、概略ひょうたん形の扁平形状をなし、その外周壁２の適宜箇所には蓋体３取り付けのための取付凹部１００が形成されている。これに対して、蓋体３は、図４および図５に示すように、容器本体１に嵌合により取り付けられるための取付突起３１が容器本体１の取付凹部１００に対応して設けられている。また、後述する回転ボタン１１の取付軸１１３を受けるための楕円形の軸受穴３２が形成されている。この楕円形の軸受穴３２は、回転ボタン１１の支軸１１５を回転可能かつ移動可能とする機能を有する。
【００１４】
容器本体１の先細部の前端には後述する消しゴムが繰り出される先端開口４が形成されている。さらに、この先端開口４に隣接し平行する一対の案内壁７が設けられている。そして、これらの案内壁７は繰り出される消しゴムをこの先端開口４まで案内する消しゴム通路６を形成している。さらに、案内壁７の後部は、膨らみ形状にされて消しゴムをロール状に収納する収納部８が形成されている。即ち、この収納部８は、案内壁７を連結している収納壁９によって包囲されている。
【００１５】
また、蓋体３は外方への膨出した膨出部１０が形成され、この膨出部１０内のスペースにはディスク形状の回転ボタン１１（外部操作部材）が回転自在に設けられている。そして、図１４及び図１５に示すように、この回転ボタン１１の外周は回転操作し易いようにローレット１１４が形成されており、回転ボタン１１の一部分は外部から操作できるように外周壁２の操作開口から外部に突出している。この場合、消しゴムの滑り止め及び送りのために形成されるローレット１１４の形状は、格子模様でも円形・矩形等のリンプル形状でも良いことは勿論である。
【００１６】
さらに、この回転ボタン１１と同軸上には小歯車部２０が一体的に形成されている。また、回転ボタン１１の側面には後述する逆転防止アーム１２の係止爪１２２が係止されるギア部１１２（逆転防止手段）が設けられている。この逆転防止用ギア部分１１２の形状は、例えば３０度の傾斜を確保することが望ましい。また、回転ボタン１１の中心からはアーム１２の取付軸１１３が突出されている。なお、図３において、符号１４、１５は、それぞれ駆動ローラ１３と従動ローラが１７とのローラ取付部を示し、かつ符号１６は容器本体１に形成されてアーム１２が係止される爪状取付部である。
【００１７】
図８〜図１３は、このアーム１２を示し、このアーム１２はその基部の枢着部１２１と
先部の係止爪１２２とが湾曲可能な可撓部１２３によって接続されている。この可撓部１２３は、回転ボタン１１が押し込まれた時に湾曲して係止が解除されるので消しゴムを容器内に押し込んで収納することができる。なお、この係止爪１２２は回転ボタン１１の逆転防止用ギア部１１２に係止する機能を有している。なお、図中符号１２４は、回転ボタン１１のアーム取付部に取り付けるための取付穴である。
【００１８】
さらに、上述した容器本体１の平行な案内壁７には、作動開口がそれぞれ形成されている。そして、一方の駆動側作動開口の外方近傍には小歯車部１３１を有する駆動ローラ１３が回転可能に設けられており、この駆動ローラ１３は消しゴム通路内の消しゴムの一側面に部分的に当接・保持しており、この駆動ローラ１３の小歯車部１３１は、回転ボタン１１の小歯車部２０と係合・連動して回転ボタン１１の回転により反時計方向に回転して消しゴムを繰り出す。この場合、駆動ローラ１３の外周にローレット１３２を設けておけば摩擦力により、確実に消しゴムを繰り出すことができる。なお、図７において、符号１３３は容器本体１の取付部であり、１３４は溝であるが、貫通孔に形成してもよい。
【００１９】
これに対して、他方の従動側作動開口の外方近傍には、従動ローラ１７（受け部材）が回転可能に設けられており、この従動ローラ１７は案内壁７内の消しゴムの一側面で部分的に当接・保持している。なお、この従動ローラ１７は、図１４・図１５に示す駆動ローラ１３と同様の構造でもよいが、駆動ローラ１３の押圧力を受けて消しゴムを案内できるものであればよい。従って、この従動ローラ１７は、固定されたものであってもよい。
【００２０】
次に、図８〜図１３に示されたアーム１２に関して、回転ボタン１１の逆転防止機構に
ついて説明する。回転ボタン１１に形成された逆転防止ギア部１１２とアーム１２に形成してある係止爪１２２とが係止することで、逆転できないようにする。即ち、回転ボタン１１に形成された側面に形成されたギア部１１２を受けるので逆転が防止される。他方、正回転方向は、テーパ形状になっているため、係止爪１２２がギア部１１２に係止されずに、アーム１２が撓みながら回転ボタン１１が回転できる。なお、先端開口４から出ている消しゴムを収納する場合には、回転ボタン１１を内方に押し込むと、このアーム１２の可撓部１２３が湾曲して係止爪１２２がギア部１１２から外れて係合が解除される。
【００２１】
以下、図１７〜図１９により上記実施例による消しゴム繰り出し容器の動作について説
明する。即ち、これらの図は、回転繰り出し機構の回転力の伝達状況、即ち消しゴムの繰り出し状況を示す。まず、消しゴムを容器本体１の先端開口４から繰り出す場合について説明する。大きい歯車である回転ボタン１１を時計方向に回転せしめると、この回転ボタン１１と一体の小歯車部２０が同方向に回転する（図１７）。
【００２２】
すると、内側に形成されている歯車は、前方にある消しゴム繰り出し用の駆動ローラ１３に形成してある歯車と噛み合い、回転方向を逆回転で伝達することになる。即ち、この小歯車部２０に係合した駆動ローラ１３が反時計方向に回転せしめられる（図１８）。このとき駆動動ーラ１３の一部分が案内壁７内に突出して長尺消しゴムの側部に当接・保持しているので、案内壁７に沿って消しゴムを前方に繰り出す。
【００２３】
なお、このとき回転自在の従動ローラ１７が、駆動ローラ１３に対向して消しゴムを挟んで確実に保持している。即ち、この従動ローラ１７の消しゴム通路６内に突出した部分が消しゴムの他側部を押圧しているので、この従動ローラ１７の時計方向の回転により、消しゴムが案内壁７内のゴム通路６を確実に前進せしめられ、先端開口４から突出される（図１９）。
【００２４】
次に、消しゴムを容器内に収納する場合は、図１６に示すように、回転防止アーム１２の係止爪１２２と回転ボタン１１のギア部１１２との係合を解除すればよい。そのためには、回転ボタン１１を外周壁２に形成された操作開口を介して容器の内部に押し込むと、支えているアーム１２が湾曲し、噛み合っていた歯車が外れ、消しゴムを保持している駆動ローラ１３の歯が自由に回転できるようになる。その結果、先端開口４から出ている消しゴムを押し込むことによって収納することができる。
【００２５】
さらに、図２０および図２１は、上記実施例１の消しゴム収納状態の変形例を示し、図
２０は消しゴムの後部が収納部８内に蛇腹状で収納されている例であり、また図２１は消しゴムの後部がランダム状で収納されている例を示す。
【実施例２】
【００２６】
また、図２２〜図２３は実施例２を示し、この例では回転ボタン１１の同軸上に一体
的に形成された小歯車部２０の歯が直接に消しゴムの側部に当接し、容器の外周壁２から延出した受けアーム１８と回転子１９と協働して消しゴムを繰り出している。そして、回転ボタン１１の小歯車部２０には容器前方から後方に向かって延出するストッパバー２２が係合している。図２３に示すように、回転ボタン１１を最深部まで押し込むと、回転ボタン１１が内方に移動し、ストッパバー２２とギア部１１２が外れ、逆転できるようになるため、消しゴムの収納ができる。
【００２７】
即ち、この例では、容器本体１の収納部８には、巻心２４に消しゴムが巻取られている。そして、実施例１に見られるような、駆動ローラ１３がなく、回転ボタン１１の小歯車部２０が消しゴム繰り出し手段を兼ねて消しゴムに直接に当接・保持して繰り出すようになっている。即ち、この小歯車部２０と対向して外周壁２から前方に延出し内方に付勢されたアーム１８の先端部には回転子１９が回転自在に設けられて受け部材を形成している。
【００２８】
なお、回転ボタン１１の小歯車部２０には外周壁から後方に向けられたストッパバー２
２の先端が係止されて回転ボタン１１の逆回転をロックしている（図２２）。また、回転ボタン１１をアーム１８の付勢力に抗して内方に押圧すると、回転ボタン１１の支軸が楕円形の軸受穴３２内を内方に移動する。その結果、ストッパバー２２の係止が解除されるので駆動ローラ１３が逆転可能となって空回りするので、消しゴムを容器内に容易に押し込むことが可能となる（図２３）。
【実施例３】
【００２９】
また、図２４〜図２６は、この発明の実施例３によるサイドノック操作による消しゴム繰り出し容器を示す。この場合、実施例２のような巻芯２４はなく、実施例１と同様に消しゴムがロール状に収納されている状態を示す。特にこの例では、サイドノックボタン２１を湾曲することで、バネ性を高めている。なお、図中符号２３は、ストッパバー２２を押すための突起である。
【００３０】
図２５はノック操作式消しゴム繰り出し容器の組立図であって、サイドノックボタン２１のノック状態を示している。この場合、サイドノックボタン２１の先端部に形成されている、鋸刃が駆動ローラ１３の小歯車部１３１に形成されている鋸刃を押すことで、駆動ローラ１３が回転運動を行う。さらに押すと、鋸刃同士の噛み合わせが外れ、また逆回転防止バーを押すことで駆動ローラ１３は逆転可能となる。
【００３１】
即ち、サイドノックボタン２１が外周壁２の操作開口に押圧自在に設けられている。そ
して、このノックボタン２１の前端が回転駆動ローラ１３の小歯車部に係合しているので、ノックボタン２１がノック操作によって押し下げられて、反時計方向に回転せしめられる。その結果、駆動ローラ１３が反時計方向に回転せしめられて、消しゴムを前方に繰り出す。この時、消しゴムを挟んで駆動ローラ１３に対向して設けられている従動ローラ１７も協動して消しゴムを前方に送り出す。このようにしてノックボタン２１を押すと、消しゴムを繰り出すことができる。
【００３２】
消しゴムを使用する時には、そのまま消しゴムを紙面等に押し付けて文字等を消すことができる。即ち、駆動ローラ１３は逆転防止ストッパ装置によって、逆転できないため消しゴムは使用中に容器内に引っ込んで使用不能となることはない。なお、消しゴムを収納する時には、図２６に示すように、ノックボタン２１を内側に最深部まで目一杯押し込むと、駆動ローラ１３と係合している逆転防止装置が解除されるので、消しゴムを容器内に容易に押し込むことができる。
【実施例４】
【００３３】
図２７及び図２８は、この発明の実施例４によるスライド操作式消しゴム繰り出し容器を示す。この例では、容器本体１の外周壁２の開口部にスライド部材ボタン２５が取り付けられている。なお、このスライドボタン２５は脚部２５１を備えており、この脚部２５１は、バネ性を持たせて常時容器外方にスライドボタン２５を付勢している。さらに、スライドボタン２５は、その前方に固設されたバネ受け２６との間に取り付けられたリターンスプリング２７によって常時後方に付勢されている。
【００３４】
また、このスライドボタン２５に対向して消しゴムを保持するように受け部材２８が設けられている。そして、この受け部材２８の消しゴムに当接する部分は消しゴムの潜り込みを抑えるために、バネ性を持たせ、さらに消しゴムとの当接面を鋸刃状にすることで消しゴムが前方へ進み易く、後方には戻らないようにしている。図中、符号１０２は先端開口に隣接して形成された案内手段としての消しゴム嵌合用リブである。
【００３５】
図２８は、スライドボタン２５を内方に押し下げながら前方にスライドさせて巻芯２４に巻装された消しゴムを繰り出している状態を示す。この場合、スライドボタン２５の消しゴムとの当接面が、鋸刃状に形成されているので前方へ移動するときには消しゴムが引っかかり易く、他方戻る時には消しゴムが滑り易い形状としてある。
【実施例５】
【００３６】
次に、図２９と図３０とは、この発明の実施例５によるチャック繰り出し式消しゴム繰り出し容器を示す。この例では、ノックボタン２１を操作することによって、巻芯２４に巻かれた容器の全長より長い消しゴムが繰り出し手段であるチャック機構によって繰り出される。まず、図２９は、保持チャック２９が閉じて消しゴムを挟持している状態を示す。容器本体１の外周壁２の開口部にノックボタン２１が回動可能に設けられている。そして、このノックボタン２１の前面角部が容器本体１内に摺動可能に設けられたチャック２９の傾斜面２９１に当接している。なお、この傾斜面２９１は後方に向かって下降する面から形成されている。なお、この傾斜面２９１はチャック２９と別体の部品に形成されてもよい。
【００３７】
他方、このチャック２９の傾斜面２９１の消しゴムを介した反対側には、平坦受け部２９２が形成されている。そして、この平坦受け部２９２は、チャック基部を支持するために外周壁２と接続された支持部１０１のガイド面１０１ａに案内されるのでチャック２９はスムーズに摺動することができる。
【００３８】
また、このチャック２９は、傾斜面２９１前面の直立壁とバネ受け２６との間に設けられたスプリング２７によって常時後方に付勢されている。なお、チャック２９の先部にはチャックリング３０が遊嵌されている。なお、このチャックリング３０は先端フランジ３０１が形成されており、このフランジ３０１はバネ受け２６の内周に形成されて段部と通常時はスプリング２７の付勢力によって係止されている。また、バネ受け２６は、前端にチャックリング３０のフランジ３０１のストッパとしての内フランジ２６１が形成されている。
【００３９】
図３０は、ノックボタン２１を押して消しゴムを先端開口４から繰り出す状態を示す。図のように、ノックボタン２１を押すとその角部はチャックの傾斜面２９１を下降してスプリング２７の後方への付勢力に抗してチャック２９を前進せしめる。このチャック２９の前進過程において、消しゴムとともにチャックリング３０も前進せしめられるが、チャックリング３０の先端のフランジ３０１がバネ受け２６の内フランジ２６１に当接して係止される。その結果、チャックリング３０はチャック２９から外れ、チャック２９は開放されて消しゴムを保持しなくなる。その後、ノックが解除されるとチャック２９は最初の位置まで後退して消しゴムを保持する。この状態で消しゴムを使用しても消しゴムはチャック２９によって保持されているので容器内に退没することはない。
【実施例６】
【００４０】
次に図３１と図３２とは、この発明の実施例６によるチャック式消しゴム繰り出し容器を示す。この例では、容器本体１の先端開口４の縁をチャックリング３０の係止部として利用して、チャック２９の開閉を行うものである。即ち、チャック２９を後方に付勢しているスプリング２７は、容器本体１の外周壁２に設けられたバネ受け２６とチャック２９の傾斜面２９１前面の直立壁との間に設けられている。そして、チャックリング３０の後端のフランジ３０１はバネ受け２６の前面に当接してチャック２９を閉じている。
【００４１】
図３２は、ノックボタン２１を押して消しゴムを繰り出す状態を示し、この場合には、チャック２９の前進過程でチャックリング３０の後端フランジ３０２が先端開口４の内側に係止されてチャック２９が開放される構造となっている。
【００４２】
この発明の上記各実施例は、消しゴムの繰り出し容器について述べたが、プラスチック鉛筆等の柔軟性のある長尺物の繰り出しにも適用できるものである。また、消しゴムが使用中に後退しないように機能する後退防止手段としての逆転防止機構は、操作部材を押し込んだ状態で解除される構造でもよく、操作部材を押し込まない通常の状態で解除されている構造でも良い。なお、後者の場合には消しゴムを使用する場合には、操作部材を押し込んだ状態で使用することになる。
【００４３】
さらに、この発明の消しゴム繰り出し容器は、一体的に成形された使い捨てのものでもよく、取り外し可能な蓋体を設けてもよく、さらに容器本体内の収納部を別体に作成して消しゴムを収納したユニットと繰り出し機構を内蔵した本体ユニットとの組み合わせも可能である。この場合、ユニット化することによりワンタッチで消しゴムの交換が容易となる。
【図面の簡単な説明】
【００４４】
【図１】実施例１の消しゴム繰り出し容器の蓋を外した状態を示す正面説明図ある。
【図２】図１の容器の蓋をした状態を示す底面説明図である。
【図３】図１の容器本体を示す正面図である。
【図４】図１の蓋体を示す背面図である。
【図５】図４の蓋体の平面図である。
【図６】図１のローラの平面図である。
【図７】図６のローラの縦断面図である。
【図８】図１のアームの正面図である。
【図９】図８のアームの背面図である。
【図１０】図８のアームの平面図である。
【図１１】図８のアームの右側面図である。
【図１２】図８のアームの左側面図である。
【図１３】図８のアームの縦断面図である。
【図１４】図１の回転ボタンの平面図である。
【図１５】図１４の回転ボタンの縦断面図である。
【図１６】図１の容器の逆回転防止ストッパを解除した状態を示す正面説明図である。
【図１７】回転繰り出し機構を示す正面説明図である。
【図１８】回転繰り出し機構を示す正面説明図である。
【図１９】回転繰り出し機構を示す正面説明図である。
【図２０】実施例１の変形例である消しゴムの蛇腹状収納形態を示す図である。
【図２１】実施例１の変形例である消しゴムのランダム収納形態を示す図である。
【図２２】実施例２の容器の蓋を外した状態の正面図である。
【図２３】図２２の容器の逆転防止を解除した状態の図である。
【図２４】実施例３のサイドノック操作式容器の蓋を外した状態の正面説明図である。
【図２５】図２４の容器の平面説明図である。
【図２６】図２４の容器の逆転防止を解除した状態の図である。
【図２７】実施例４のスライド操作式容器を示す断面図である。
【図２８】図２７の消しゴム繰り出し状態を示す図である。
【図２９】実施例５のチャック式繰り出しによる容器の断面図である。
【図３０】図２９の消しゴム繰り出し状態を示す図である。
【図３１】実施例６のチャック式繰り出しによる容器の断面図である。
【図３２】図３１の消しゴム繰り出し状態を示す図である。
【符号の説明】
【００４５】
１：    容器本体
２：    外周壁
３：    蓋体
３１：  取付突起
３２：  楕円軸受穴
４：    先端開口
５：    基板
６：    消しゴム通路
７：    案内壁
８：    収納部
９：    収納壁
１０：  膨出部
１００：取付凹部
１０１：支持部
１１：  回転ボタン（外部操作部材）
１１１：小歯車部
１１２：ギア部（逆転防止手段）
１１３：取付軸
１１４：ローレット
１１５：支軸
１２：  アーム（逆転防止手段）
１２１：枢着部
１２２：係止爪
１２３：可撓部
１２４：取付穴
１３：  駆動ローラ（繰り出し手段）
１３１：小歯車部
１３２：ローレット
１３３：取付部
１３４：溝
１４：  駆動ローラ取付部
１５：  従動ローラ取付部
１６：  爪状取付部
１７：  従動ローラ（受け部材）
１８：  受けアーム
１９：  回転子（受け部材）
２０：  小歯車部
２１：  サイドノックボタン（外部操作部材）
２２：  ストッパバー
２３：  突起
２４：  巻芯
２５：  スライドボタン
２５１：脚部
２６：  バネ受け
２６１：内フランジ
２７：  リターンスプリング
２８：  受け部材
２９：  チャック
２９１：傾斜面
３０：  チャックリング
３０１：フランジ
【手続補正２】
【補正対象書類名】図面
【補正対象項目名】図１３
【補正方法】変更
【補正の内容】
【図１３】
2005212423.tif 000001
【手続補正３】
【補正対象書類名】図面
【補正対象項目名】図２４
【補正方法】変更
【補正の内容】
【図２４】
2005212423.tif 000002
【手続補正４】
【補正対象書類名】図面
【補正対象項目名】図２９
【補正方法】変更
【補正の内容】
【図２９】
2005212423.tif 000003
【手続補正５】
【補正対象書類名】図面
【補正対象項目名】図３０
【補正方法】変更
【補正の内容】
【図３０】
2005212423.tif 000004
【手続補正６】
【補正対象書類名】図面
【補正対象項目名】図３１
【補正方法】変更
【補正の内容】
【図３１】
2005212423.tif 000005